(57)【要約】【課題】本発明は、防水機能が維持されているか否かを確認できる携帯電子機器を提供することを目的とする。【解決手段】携帯電話機１は、接合領域１００において互いに接合されるフロントケース２ａとリアケース２ｂとを有して構成される操作部側筐体２と、接合領域１００に配置されるパッキン１４０と、表示部２１と、フロントケース２ａの内面に形成される第１金属蒸着部１３０ａと、リアケース２ｂの内面に形成される第２金属蒸着部１３０ｂと、パッキン１４０に形成され第１金属蒸着部１３０ａと第２金属蒸着部１３０ｂとを電気的に導通させる第３金属蒸着部１４１と、第１金属蒸着部１３０ａと第２金属蒸着部１３０ｂとの間の電気特性を検出する検出部２００と、検出部２００により検出された電気特性の結果に応じて表示部２１により所定の報知を行う制御部と、を備える。【選択図】図４
2010011241.tif 000002
【特許請求の範囲】
【請求項１】
所定の接合領域において互いに接合される第１ケース部材と第２ケース部材とを有して構成される第１筐体と、
報知部と、
前記第１ケース部材の内面における前記接合領域近傍に形成される第１導電部と、
前記第２ケース部材の内面における前記接合領域近傍に形成されると共に、前記第１導電部に導通される第２導電部と、
前記第１導電部と前記第２導電部との間の電気特性を検出する検出部と、
前記検出部により検出された前記電気特性の結果に応じて前記報知部により所定の報知を行う制御部と、を備える
携帯電子機器。
【請求項２】
前記第１導電部と前記第２導電部とを電気的に導通させる第３導電部が設けられると共にと、前記接合領域に配設される防水部材を備える、
請求項１記載の携帯電子機器。
【請求項３】
前記第１導電部、前記第２導電部及び前記第３導電部は、互いに連続して形成される膜状部材である
請求項２記載の携帯電子機器。
【請求項４】
前記第３導電部は基準電位に電気的に接続され、
前記第３導電部における一部は、該第１筐体の外部側に配置される
請求項２又は３に記載の携帯電子機器。
【請求項５】
外部端子を接続可能な端子部を備え、
前記第１導電部及び第２導電部は、前記端子部の近傍に形成される
請求項１から４のいずれかに記載の携帯電子機器。
【請求項６】
前記第１導電部及び前記第２導電部の少なくとも一方は、基準電位に電気的に接続される
請求項１から５のいずれかに記載の携帯電子機器。
【請求項７】
前記報知部が所定の報知をした日時を含む報知履歴情報を記憶する記憶部と、を備える
請求項１から６のいずれかに記載の携帯電子機器。
【請求項８】
前記検出部は、前記電気特性を所定の周期で間欠的に検出する
請求項１から７のいずれかに記載の携帯電子機器。
【請求項９】
アンテナと、
前記アンテナにより信号を前記所定の周期で間欠的に受信する受信部と、
前記受信部により間欠的に受信された信号に係る情報に基づいて前記受信部の受信効率を判定する判定部と、を備える
請求項１から８のいずれかに記載の携帯電子機器。
【請求項１０】
第２筐体と、
前記第１筐体と前記第２筐体とを開閉可能に連結する連結部と、を有し、
前記第２筐体には、前記第１導電部及び前記第２導電部の少なくとも一方に容量結合される第４導電部が配置される
請求項１から９のいずれかに記載の携帯電子機器。
【発明の詳細な説明】
【技術分野】
【０００１】
本発明は、携帯電話機等の携帯電子機器に関する。
【背景技術】
【０００２】
近年、携帯電子機器としての携帯電話機において、防水タイプの携帯電話機が市場において流通しはじめている。
防止タイプの携帯電話機として、所定の接合領域において互いに接合される第１のケース部材と第２のケース部材とを有して構成される第１の筐体と、接合領域に配設されるパッキンと、を有することを特徴とするものが提案されている（例えば、特許文献１参照）。
【特許文献１】特開２００６−３３２０２号公報
【発明の開示】
【発明が解決しようとする課題】
【０００３】
ここで、特許文献１の携帯電話機においても、使用しはじめてから所定期間経過後に防水機能を維持しているかの確認は困難であった。
【０００４】
本発明は、防水機能が維持されているか否かを確認できる携帯電子機器を提供することを目的とする。
【課題を解決するための手段】
【０００５】
本発明は、所定の接合領域において互いに接合される第１ケース部材と第２ケース部材とを有して構成される第１筐体と、報知部と、前記第１ケース部材の内面における前記接合領域近傍に形成される第１導電部と、前記第２ケース部材の内面における前記接合領域近傍に形成されると共に、前記第１導電部に導通される第２導電部と、前記第１導電部と前記第２導電部との間の電気特性を検出する検出部と、前記検出部により検出された前記電気特性の結果に応じて前記報知部により所定の報知を行う制御部と、を備える携帯電子機器に関する。
【０００６】
本発明は、前記第１導電部と前記第２導電部とを電気的に導通させる第３導電部が設けられると共に、前記接合領域に配設される防水部材を備える携帯電子機器に関する。
【０００７】
また、前記第１導電部、前記第２導電部及び前記第３導電部は、互いに連続して形成される膜状部材であることが好ましい。
【０００８】
また、前記第３導通部は基準電位に電気的に接続され、前記第３導電部における一部は、該第１筐体の外部側に配置されることが好ましい。
【０００９】
また、外部端子を接続可能な端子部を備え、前記第１導電部及び第２導電部は、前記端子部の近傍に形成されることが好ましい。
【００１０】
また、前記第１導電部及び前記第２導電部の少なくとも一方は、基準電位に電気的に接続されることが好ましい。
【００１１】
また、前記報知部が所定の報知をした日時を含む報知履歴情報を記憶する記憶部と、を備えることが好ましい。
【００１２】
また、前記検出部は、前記電気特性を所定の周期で間欠的に検出することが好ましい。
【００１３】
また、アンテナと、前記アンテナにより信号を前記所定の周期で間欠的に受信する受信部と、前記受信部により間欠的に受信された信号に係る情報に基づいて前記受信部の受信効率を判定する判定部と、を備えることが好ましい。
【００１４】
また、第２筐体と、前記第１筐体と前記第２筐体とを開閉可能に連結する連結部と、を有し、前記第２筐体には、前記第１導電部及び前記第２導電部の少なくとも一方に容量結合される第４導電部が配置されることが好ましい。
【発明の効果】
【００１５】
本発明によれば、防水機能が維持されているか否かを確認できる携帯電子機器を提供することができる。
【発明を実施するための最良の形態】
【００１６】
以下、図面を参照して本発明を実施するための最良の形態を説明する。
図１により、電子機器としての携帯電話機１における基本構造を説明する。図１は、携帯電話機１を開いた状態における外観斜視図を示す。
【００１７】
図１に示すように、携帯電話機１は、筐体としての操作部側筐体２と、表示部側筐体３と、を備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことが可能に構成される。つまり、携帯電話機１は、操作部側筐体２と表示部側筐体３とが開いた状態（開状態）と、操作部側筐体２と表示部側筐体３とが折り畳まれた状態（閉状態）とにすることができる。ここで、閉状態とは、両筐体が互いに重なるように配置された状態であり、開状態とは、両筐体が互いに重ならないように配置された状態をいう。
【００１８】
操作部側筐体２は、外面がフロントケース２ａとリアケース２ｂとにより構成される。操作部側筐体２は、フロントケース２ａ側に、入力手段としての操作キー群１１と、携帯電話機１の使用者が通話時に発した音声が入力されるマイクとしての音声入力部１２とがそれぞれ露出するように構成される。
【００１９】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。操作キー群１１を構成する各キーそれぞれには、操作部側筐体２と表示部側筐体３との開閉状態や各種モード、あるいは起動されているアプリケーション等の種類に応じて所定の機能が割り当てられる（キー・アサイン）。そして、使用者が各キーを押圧することにより、各キーに割り当てられている機能に応じた動作が実行される。
【００２０】
音声入力部１２は、操作部側筐体２の長手方向における連結部４側と反対の外端部側に配置される。つまり、音声入力部１２は、携帯電話機１が開状態において一方の外端部側に配置される。
【００２１】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキーと、外部メモリの挿入及び取り出しが行われるインターフェース（図示せず）とが配置される。インターフェースは、キャップにより覆われている。各インターフェースは、不使用時にはキャップにより覆われる。
【００２２】
表示部側筐体３は、外面がフロントパネル３ａと、フロントケース３ｂと、リアケース３ｃ（図３参照）と、リアパネル３ｄ（図３参照）とにより構成される。表示部側筐体３におけるフロントケース３ｂには、各種情報を表示するための表示部２１と、通話の相手側の音声を出力するレシーバとしての音声出力部２２と、が露出するように配置される。ここで、表示部２１は、液晶パネルと、この液晶パネルを駆動する駆動回路と、この液晶パネルの背面側から光を照射するバックライト等の光源部とから構成される。
【００２３】
次いで、図２から図５により、操作部側筐体２及び表示部側筐体３の内部構造について説明する。図２は、操作部側筐体２に内蔵される部材の分解斜視図である。図３は、表示部側筐体３に内蔵される部材の分解斜視図である。
【００２４】
図２に示すように、操作部側筐体２は、フロントケース２ａと、キー構造部４０と、キー基板５０と、ケース体６０と、基準電位パターン層７５及び携帯電話機用のＲＦ（Ｒａｄｉｏ  Ｆｒｅｑｕｅｎｃｙ）モジュール等の各種電子部品を備える回路基板７０と、アンテナ部９０と、バッテリリッド２ｃを備えたリアケース２ｂと、バッテリ８０とを備える。
【００２５】
フロントケース２ａとリアケース２ｂとは、互いの凹状の内側面が向き合うように配置され、互いの外周縁が重なり合うようにして結合される。また、フロントケース２ａとリアケース２ｂとの間には、キー構造部４０と、キー基板５０と、ケース体６０と、回路基板７０と、アンテナ部９０とが挟まれるようにして内蔵される。また、フロントケース２ａの外縁部と、リアケース２ｂの外縁部との間には、防水部材としてのパッキン１４０が配置される。
【００２６】
フロントケース２ａの内面における後述する接合領域１００の近傍には、第１導電部としての第１金属蒸着部１３０ａが形成される。また、リアケース２ｂの内面における接合領域１００の近傍には、第２導電部としての第２金属蒸着部１３０ｂ形成される。そして、表面に第３導電部としての第３金属蒸着部１４１が設けられたパッキン１４０は、第１金属蒸着部１３０ａと第２金属蒸着部１３０ｂとに当接するように配置される。パッキン１４０は、該パッキン１４０の一部であって第３金属蒸着部１４１が設けられた部分が外部に露出した状態で配置される。
【００２７】
フロントケース２ａには、携帯電話機１を折り畳んだ状態で表示部側筐体３の表示部２１と対向する内側面に、キー孔１３ａ、１４ａ、１５ａが形成される。キー孔１３ａ、１４ａ、１５ａそれぞれからは、機能設定操作キー１３を構成する機能設定操作キー部材１３ｂの押圧面、入力操作キー１４を構成する入力操作キー部材１４ｂの押圧面、及び決定操作キー１５を構成する決定操作キー部材１５ｂの押圧面が露出される。この露出した機能設定操作キー部材１３ｂ、入力操作キー部材１４ｂ及び決定操作キー部材１５ｂの押圧面を押し下げるように押圧することで、対応するキースイッチ５１、５２、５３それぞれに設けられる後述のメタルドーム（椀状形状）の頂点が押圧され、スイッチ端子に接触して電気的に導通する。
【００２８】
キー構造部４０は、操作部材４０Ａと、補強部材としてのキーフレーム４０Ｂと、シート部材としてのキーシート４０Ｃと、により構成される。
【００２９】
操作部材４０Ａは、複数のキー操作部材により構成される。具体的には、機能設定操作キー部材１３ｂと、入力操作キー部材１４ｂと、決定操作キー部材１５ｂとにより構成される。操作部材４０Ａを構成する各操作キー部材それぞれは、後述するキーフレーム４０Ｂを挟んでキーシート４０Ｃに接着される。キーシート４０Ｃに接着された各操作キー部材それぞれにおける押圧面は、上述の通り、キー孔１３ａ、１４ａ、１５ａそれぞれから外部に露出して配置される。
【００３０】
キーフレーム４０Ｂは、孔部１４ｃが複数形成された金属性の板状部材である。キーフレーム４０Ｂは、入力操作キー部材１４ｂの押圧による回路基板７０等への悪影響を防ぐための補強部材である。また、キーフレーム４０Ｂは導電性の部材であり、入力操作キー部材１４ｂにおける静電気を逃がすための部材としても機能する。キーフレーム４０Ｂに形成される複数の孔部１４ｃには、後述するキーシート４０Ｃに形成される凸部１４ｄが嵌合するように配置される。そして、この凸部１４ｄに入力操作キー部材１４ｂが接着される。
【００３１】
キーシート４０Ｃは、可撓性を有するシリコンゴム製のシート状部材である。キーシート４０Ｃには、上述の通り、複数の凸部１４ｄが形成される。複数の凸部１４ｄは、キーシート４０Ｃにおけるキーフレーム４０Ｂが配置される側の面に形成される。この複数の凸部１４ｄそれぞれは、後述するキースイッチ５２に対応する位置に形成される。
【００３２】
キー基板５０は、キーシート４０Ｃ側に配置される複数のキースイッチ５１、５２、５３を有する。複数のキースイッチ５１、５２、５３、それぞれは、各操作部材４０Ａに対応する位置に配置される。キー基板５０に配置されるキースイッチ５１、５２、５３は、椀状に湾曲して立体的に形成された金属板のメタルドームを有する構造になっている。メタルドームは、その椀状形状の頂点が押圧されると、キー基板５０の表面に印刷された電気回路（図示せず）に形成されるスイッチ端子に接触して電気的に導通するように構成される。なお、キー基板５０は、複数の絶縁層（絶縁フィルム）の間に配線を挟み込んだものである。
【００３３】
キー基板５０がケース体６０における平板部６１に載置されるので、操作部材４０Ａそれぞれが押圧されることによる圧力や撓みは、ケース体６０の下方に配置される回路基板７０に伝達されにくい。
【００３４】
ケース体６０は、薄型の直方体における一の広い面が開口した形状を有する導電性の部材である。ケース体６０は、平板部６１における開口側の面に略垂直に形成されるリブ６２を有する。リブ６２は、回路基板７０に実装される各種電子部品のうち最も高さのある電子部品の高さと同等又はそれよりも十分に高くなるよう形成される。リブ６２は、平板部６１の周縁及び内側に基準電位部を構成する基準電位パターン層７５に対応するように形成される。具体的には、ケース体６０が回路基板７０に載置された状態で、基準電位パターン層７５上に配置されるようにリブ６２が形成される。なお、ケース体６０は、金属により形成するほか、骨格を樹脂により形成し、その表面に導体膜を形成したものでもよい。
【００３５】
ケース体６０は、リブの底面が基準電位パターン層７５に当接されることで、該基準電位パターン層７５と電気的に接続される。ケース体６０は、基準電位パターン層７５と電気的に導通して該基準電位パターン層７５と同じ大きさの電位を有するようになる。つまり、ケース体６０は、シールドケースとして機能する。ケース体６０は、シールドケースとして外部からの高周波等のノイズが回路基板７０に配置される各種電子部品に作用するのを抑制すると共に、ＲＦ（Ｒａｄｉｏ  Ｆｒｅｑｕｅｎｃｙ）回路、ＣＰＵ回路、電源回路等から放出されるノイズを遮蔽して、他の電子部品やアンテナ部９０に接続される受信回路等に作用することを抑制する。具体的には、ケース体６０におけるリブ６２の底面が基準電位パターン層７５上に配置されることで、後述する各回路はリブ６２により囲われると共に平板部６１の一部により覆われる。リブ６２は、各回路における隔壁として機能し、平板部６１の一部と共に各回路をシールドする。
【００３６】
回路基板７０には、アンテナ部９０が送受信する信号を処理する信号処理部を含む不図示の各種電子部品や回路が配置される。各種電子部品は、所定の組み合わせにより複数の回路ブロックを形成する。例えば、ＲＦ（Ｒａｄｉｏ  Ｆｒｅｑｕｅｎｃｙ）回路、電源回路等を含む各種回路ブロックが形成される。
【００３７】
回路基板７０におけるケース体６０側の第１面７０ａには、上述の各種電子部品のほか、基準電位部を構成する基準電位パターン層７５が形成される。基準電位パターン層７５は、上述の各回路ブロックを区画するように形成される。基準電位パターン層７５は、回路基板７０の第１面７０ａの表面に導電性の部材を所定パターンで印刷することで形成される。また、第２面７０ｂには、配線７６と、配線７６に電気的に接続される電子部品としてのＣＰＵ４５やメモリ４４が実装される。
【００３８】
アンテナ部９０は、基台上に所定形状のアンテナエレメントが配置されることにより構成さる。アンテナ部９０は、携帯電話機１における連結部４側と反対の端部側に配置される。このアンテナ部９０のアンテナエレメントは、帯状の板金により形成される。また、アンテナ部９０は、不図示の給電端子を介して回路基板７０から給電される。これにより、アンテナエレメントは、給電端子を介して回路基板７０から給電されると共に、回路基板７０のＲＦモジュール等と接続される。アンテナ部９０は、該アンテナ部９０より信号を所定の周期で間欠的に受信する受信部に接続される。
【００３９】
リアケース２ｂの一端側（図２において）には、取り外し可能なバッテリリッド２ｃが設けられており、バッテリ８０をリアケース２ｂの外側から収納した後、リアケース２ｂに装着される。また、リアケース２ｂにおける一端側には、ユーザの音声を入力する不図示の音声入力部１２（特にマイク）が収容される。
【００４０】
図３に示すように、表示部側筐体３は、フロントパネル３ａと、音声出力部２２と、フロントケース３ｂと、音声出力部２２と、表示部２１と、表示部２１が接続されたプリント基板８５と、リアケース３ｃと、リアパネル３ｄと、を備える。
【００４１】
表示部側筐体３は、フロントパネル３ａと、フロントケース３ｂと、表示部２１と、プリント基板８５と、リアケース３ｃと、リアパネル３ｄとがそれぞれが積層的に配置される。具体的には、フロントケース３ｂとリアケース３ｃとは、互いの凹状の内側面が向き合うように配置され、互いの外周縁が重なり合うようにして結合される。フロントケース３ｂの内面であって連結部４の近傍には、第４導電部としての第４金属蒸着部１５０が形成される。
【００４２】
そして、フロントケース３ｂとリアケース３ｃとの間には、表示部２１が接続されたプリント基板８５が挟まれるようにして内蔵される。プリント基板８５には、不図示のアンプと接続されるスピーカ１２２が接続される。
【００４３】
次に、図４により、接合領域１００近傍の構造について説明する。
図４は、接合領域１００近傍の構造を説明する断面図である。
図４に示すように、フロントケース２ａとリアケース２ｂとは、パッキン１４０を介して接合される。パッキン１４０の表面には、第３導電部としての第３金属蒸着部１４１が設けられる。パッキン１４０は、導電性を有するよう構成される。
【００４４】
フロントケース２ａの内面側であって接合領域１００の近傍には、第１金属蒸着部１３０ａが形成される。第１金属蒸着部１３０ａは、パッキン１４０に設けられた第３金属蒸着部１４１と電気的に導通する。
【００４５】
リアケース２ｂの内面側であって接合領域１００の近傍には、第２金属蒸着部１３０ｂが形成される。第２金属蒸着部１３０ｂは、パッキン１４０に設けられた第３金属蒸着部１４１と電気的に導通する。
【００４６】
つまり、フロントケース２ａに形成される第１金属蒸着部１３０ａとリアケース２ｂに形成される第２金属蒸着部１３０ｂとは、パッキン１４０に設けられた第３金属蒸着部１４１を介して電気的に導通する。
【００４７】
フロントケース２ａに形成される第１金属蒸着部１３０ａには、第１導通部材２００ａが電気的に接続される。また、第１導通部材２００ａは、回路基板７０に形成される基準電位パターン層７５に電気的に接続される。
【００４８】
また、リアケース２ｂに形成される第２金属蒸着部１３０ｂには、第２導通部材２００ｂが電気的に接続される。また、第２導通部材２００ｂは、回路基板７０に形成される配線７６に電気的に接続される。配線７６は、ＣＰＵ４５に電気的に接続される。
【００４９】
ここで、第１金属蒸着部１３０ａ及び第２金属蒸着部１３０ｂは、連結部４の近傍や、不図示のイヤホンコネクタの近傍や、ＵＳＢコネクタの近傍や、メモリコネクタの近傍に形成される。これは、可動部の近傍や、キャップ開閉による力が加わる部分の近傍において、接合領域１００における不具合（離間や破損等）が生じる可能性が高いためである。
【００５０】
このような構成をとることで、携帯電話機１は、接合領域１００において外部からの水やホコリの浸入を抑制できる状態を維持しているかを簡易に検知することできる。図４における構成をとることで、図５における回路を構成することになる。具体的には、図５に基づいて以下に説明する。
【００５１】
図５により、接合領域１００の状態を検知するための回路構成について説明する。
図５は、携帯電話機１における回路構成を説明するためのブロック図である。
図５に示すように、携帯電話機１は、グランドとしての基準電位パターン層７５に第１導通部材２００ａを介して電気的に接続される第１金属蒸着部１３０ａ（フロントケース２ａ）と、第１金属蒸着部１３０ａと電気的に接続される第３金属蒸着部１４１（パッキン１４０）と、第３金属蒸着部１４１に電気的に接続される第２金属蒸着部１３０ｂ（リアケース２ｂ）と、第２金属蒸着部１３０ｂに第２導通部材２００ｂを介して電気的に接続されるＰＵ４５と、プルアップ抵抗Ｒと、ＣＰＵ４５と、報知部としてのスピーカ１２２及び表示部２１と、メモリ４４と、を有する。ここで、第１金属蒸着部１３０ａ、第３金属蒸着部１４１及び第２金属蒸着部１３０ｂは、シリーズに接続された抵抗Ａとみなすことができる。
【００５２】
ＣＰＵ４５は、機能部としての検出部２００を有する。検出部２００は、ＣＰＵ４５に入力される電圧を検出することで、接合領域１００における不具合の有無（防水状態）を検出する。検出部２００は、消費電流削減の観点から電圧検出は常に行うのではなく所定の周期で行い、電圧を観測していないときはスイッチＳＷによりプルアップを切り離しておいて消費電流の削減を行うことも可能である。
【００５３】
また、ＣＰＵ４５は、アンテナ部９０に接続される受信部により所定の周期で間欠的に受信された信号に係る情報に基づいて受信部の受信効率を判定する判定部（不図示）を備える。ここで、受信部による間欠的な受信動作と検出部２００による間欠的な検出動作を同期させることで、省電力化をはかることができる。
【００５４】
第１金属蒸着部１３０ａ、第３金属蒸着部１４１及び第２金属蒸着部１３０ｂが互いに離間しない正常な状態の場合、検出部２００は低い（ＬＯＷ）レベルの電圧を検出するが、第１金属蒸着部１３０ａ、第３金属蒸着部１４１及び第２金属蒸着部１３０ｂが互いに離間した場合、検出部２００はケースとパッキン１４０との間で隙間が生じ抵抗Ａ間の接続が絶たれるため、検出部２００はプルアップされた電源の高い（Ｈｉ）レベル電圧を検出する。このように、検出部２００は、電圧の変化を検出することで、接合領域１００における接合状態を検出することができる。
【００５５】
また、検出部２００は、ユーザがキー操作を行ったことや、携帯電話機１が衝撃を受けたこと（例えば、不図示の３軸センサにより落下が検知された場合）をトリガにして電圧を検出するように構成してもよい。
【００５６】
検出部２００により電圧の変化が検出され、接合領域１００における接合状態の不具合が検出された場合、検出部２００は、報知部としてのスピーカ１２２及び表示部２１に所定の報知を行わせる。検出部２００は、例えば、スピーカ１２２に対して所定の音を放音させる。また、検出部２００は、例えば、表示部２１に対して接合領域１００における所定の位置に不具合が生じたことを文字や画像により表示させる。
【００５７】
メモリ４４は、機能部としての報知履歴情報記憶部２１０を有する。報知履歴情報記憶部２１０は、検出部２００が報知部に所定の報知をさせた日時や、接合領域１００における不具合が生じた位置等の情報を記憶する。これにより、修理時において、故障の原因や位置を推定することが可能となる。
【００５８】
ここで、実際の携帯電話機１においては、上述した連結部４やイヤホンコネクタ等が配置された部分にはパッキン１４０が配置されない。つまり、第１金属蒸着部１３０ａ、第３金属蒸着部１４１及び第２金属蒸着部１３０ｂからなる抵抗Ａは、操作部側筐体２の外周方向に複数存在する。この場合おける回路構成を続けて図６により説明する。
【００５９】
図６は、第１金属蒸着部１３０ａ及び第２金属蒸着部１３０ｂが操作部側筐体２の外周方向において複数形成されている場合における携帯電話機１の回路構成を説明するためのブロック図である。
【００６０】
図６に示すように、携帯電話機１は、複数の抵抗Ａ１からＡｎと、複数のプルアップ抵抗Ｒ１からＲｎとを有する。
検出部２００は、それぞれのエリアＡ１からＡｎからの電圧を検出することで、接合領域１００におけるいずれの位置において不具合が生じているかを正確に検出することができる。
検出部２００は、例えば、表示部２１に対して接合領域１００における不具合が生じた詳細な位置を文字又は画像により表示させる。
【００６１】
続けて、図７により、各金属蒸着部における他の利用について説明する。
図７は、携帯電話機１における開状態の側面図である。
図７に示すように、携帯電話機１が開状態において、第１筐体としての操作部側筐体２に形成された第１金属蒸着部１３０ａ及び第２金属蒸着部１３０ｂと、第２筐体としての表示部側筐体３に形成された第４金属蒸着部１５０とは、近接して配置される。
【００６２】
図７に示すように、第１金属蒸着部１３０ａ及び第２金属蒸着部１３０ｂと、第４金属蒸着部１５０とが互いに近接して配置されるので、操作部側筐体２と表示部側筐体３とは容量結合される。これにより、携帯電話機１におけるアンテナ部９０のアンテナ特性の維持向上が図られる。
【００６３】
本実施形態によれば、防水機能が維持されているか否かを確認できる携帯電話機１を提供することができる。
【００６４】
また、本実施形態によれば、検出部２００により接合領域１００における不具合が検出された場合、報知部により所定の報知がされるので、ユーザは接合領域１００に不具合が生じたことを知ることができる。これにより、携帯電話機１は、長期使用による防水部材としてのパッキン１４０の劣化や破損を検出して、防水性が保たれていない状態であることをユーザに知らせることができる。
【００６５】
また、本実施形態によれば、第１金属蒸着部１３０ａ、第２金属蒸着部１３０ｂ及び第３金属蒸着部１４１は、外部端子を接続可能な端子部の近傍に形成される。これにより、力がかかりやすく不具合が生じやすい部分の近傍における接合状態を確認することができる。
【００６６】
また、本実施形態によれば、第１金属蒸着部１３０ａが基準電位パターン層７５に電気的に接続されるので、接合領域１００におけるシールド効果を得ることができる。特に、本実施形態においては、パッキン１４０に設けられる第３金属蒸着部１４１の一部が操作部側筐体２の外部に露出して配置されるので、更に高いシールド効果を得ることができる。
【００６７】
また、本実施形態によれば、報知部が所定の報知をした日時を含む報知履歴情報を記憶する報知履歴情報記憶部２１０を有するので、修理時において、故障の原因や位置を推定することができる。例えば、故障の報知を受けた後、長期間放置していたこと等を知ることができる。また、不具合が生じた場所が特定されているので修理しやすい。
【００６８】
また、本実施形態によれば、検出部２００が受信部における受信と同期して所定の周期で間欠的に電気特性を検出するので、携帯電話機１において、消費電力を抑制することができる。なお、所定の周期は、受信部における受信と同期した周期とは異なる周期であってもよい。
【００６９】
また、本実施形態によれば、表示部側筐体３には、第１金属蒸着部１３０ａ、第２金属蒸着部１３０ｂ及び第３金属蒸着部１４１に容量結合される第４金属蒸着部１５０が配置されるので、携帯電話機１におけるアンテナ特性が維持向上される。
【００７０】
また、本実施形態によれば、第１金属蒸着部１３０ａと第２金属蒸着部１３０ｂとが操作部側筐体２の外縁部において複数形成されるので、接合領域１００におけるいずれに位置で不具合が生じたかを判定することができる。これにより、携帯電話機１の内部に水が浸入することで生じる故障を未然の防止できる。例えば、ユーザは、防水性が保たれていない場所が特定に水がかからないようにする等の対応が取れる。また、携帯電話機１は、不具合が生じた場所が特定されているので修理しやすい。
【００７１】
また、本実施形態によれば、静電気対策等で形成される金属蒸着部を利用して接合領域１００における防水状態を検出することができる。つまり、携帯電話機１において、現状の部品構成で本実施形態における防水性等における不具合の検知を実現できるのでコストの増加が少ない。
【００７２】
また、本実施形態によれば、生産現場で防水性等についての不具合が容易に確認できるので、不良品が流出することを抑制できる。
【００７３】
以上、好適な実施形態について説明したが、本発明は上述した実施形態に限定されることなく種々の形態で実施することができる。例えば、本実施形態において、電子機器として携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００７４】
また、本実施形態において、連結部４により折り畳み可能な携帯電話機１の説明をしているが、このような折り畳み式ではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターン）式や、操作部側筐体２と表示部側筐体３とが一つの筐体に配置され連結部を有さない型式（ストレートタイプ）でもよい。また、携帯電話機１は、開閉及び回転可能ないわゆる２軸ヒンジタイプであってもよい。
【００７５】
また、本実施形態において、第３金属蒸着部１４１はパッキン１４０の表面全体に形成されるが、これに限定されず、例えば、操作部側筐体２における内面側のみに形成されるようにしてもよい。また、この場合、図９に示すように、フロントケース２ａの第１金属蒸着部、パッキン１４０の第３金属蒸着部及びリアケース２ｂの第金属蒸着部が連続する膜状の金属蒸着部１３１により一体として形成されるようにしてもよい。この場合、連続する膜状の金属蒸着部１３１により接合領域１００における隙間が塞がれるので、携帯電話機１における防水機能が向上される。また、同様の理由により、携帯電話機１におけるシールド効果が向上される。
【００７６】
また、本実施形態において、防水部材としてパッキン１４０が用いられているが、これに限定されず、例えば、両面テープ等を用いてもよい。この場合、両面テープは、導電性の材料を含むように構成してもよい。
【００７７】
また、本実施形態において、パッキン１４０の表面に第３金属蒸着部１４１を設けているが、これに限定されず、例えば、パッキン１４０自体を導電性の材料により構成してもよい。ここで、パッキンとは、液体や気体も漏れを防ぐための詰め物であり、その材質や形状は適宜選択できる。パッキンとしては、弾力性を有することが好ましい。
【００７８】
また、電気特性としては、電流、電圧や抵抗等のいずれであってもよい。
【００７９】
また、本実施形態において、フロントケース２ａの第１金属蒸着部１３０ａとリアケース２ｂの第２金属蒸着部１３０ｂとをパッキン１４０の第３金属蒸着部１４１を介して電気的に接続しているが、これに限定されず、例えば、フロントケース２ａの第１金属蒸着部１３０ａとリアケース２ｂの第２金属蒸着部１３０ｂとが直接当接するようにして直接電気的に接続させてもよい。
【００８０】
また、本実施形態において、第１導電部、第２導電部、第３導電部及び第４導電部の一例として、第１金属蒸着部１３０ａ、第２金属蒸着部１３０ｂ、第３金属蒸着部１３０ｃ及び第４金属蒸着部１３０ｄを示したが、本発明はこれに限定されず、第１導電部、第２導電部、第３導電部及び第４導電部は、導電性を有する部材であればその他の構成であってもよい。
【図面の簡単な説明】
【００８１】
【図１】携帯電話機１を開いた状態における外観斜視図である。
【図２】操作部側筐体２に内蔵される部材の分解斜視図である。
【図３】表示部側筐体３に内蔵される部材の分解斜視図である。
【図４】接合領域１００近傍の構造を説明する断面図である。
【図５】携帯電話機１における回路構成を説明するためのブロック図である。
【図６】第１金属蒸着部１３０ａ及び第２金属蒸着部１３０ｂが操作部側筐体２の外周方向において複数形成されている場合における携帯電話機１の回路構成を説明するためのブロック図である。
【図７】携帯電話機１における開状態の側面図である。
【図８】接合領域近傍の構造における他の実施形態を説明する図である。
【符号の説明】
【００８２】
１          携帯電話機
２          操作部側筐体
３          表示部側筐体
１１        操作キー群
２１        表示部
４４        メモリ
４５        ＣＰＵ
７５        基準電位パターン層
１００      接合領域
１２１      スピーカ
１３０ａ    第１金属蒸着部
１３０ｂ    第２金属蒸着部
１４０      パッキン
１４１      第３金属蒸着部
２００      検出部
【図１】
2010011241.tif 000003
【図２】
2010011241.tif 000004
【図３】
2010011241.tif 000005
【図４】
2010011241.tif 000006
【図５】
2010011241.tif 000007
【図６】
2010011241.tif 000008
【図７】
2010011241.tif 000009
【図８】
2010011241.tif 000010